(57)【要約】【課題】紙上に印刷されたドットパターンを電子ペンで読み取ることによって紙上に手書きした文字や図形をデジタル化する電子ペンシステムにおいて、同一ドットパターンを持つ複数枚の紙のうち、どの紙に対してデータが記入されたか識別する。【解決手段】同一ドットパターンを持つ紙を識別する必要がある電子ペンシステムにおいて、ドットパターンの位置に応じて変換されるコードを予め定めた識別コード入力用の帳票を準備しておき、その帳票へ入力された内容によって定まる複数のコードの組み合わせにより帳票種別を識別する。【選択図】  図１
2004246433.tif 000002
【特許請求の範囲】
【請求項１】
ドットパターンを読み取って当該紙への書き込み内容をデジタル化する電子ペンを利用したシステムにおいて、
ドットパターンの第一の領域と第一の帳票レイアウトとの対応を保持する手段と、
ドットパターンの第二の領域と、所定の位置に配置された複数のマークからなる第二の帳票レイアウトとの対応を保持する手段と、
前記複数のマークと、各々のマーク位置毎に定められる変換コードとの対応を保持する手段と、
前記第二の帳票のマークへの入力により変換されたコードの組み合わせと対応付けて、前記第一の帳票へ記入されたデータを保持する手段とを備えたことを特徴とするデータ入力システム。
【請求項２】
前記第一の帳票と前記第二の帳票を物理的に分かれた用紙に印刷してデータ入力用として用いることを特徴とする請求項１のデータ入力システム。
【請求項３】
請求項１または２において、前記マークはボックスであることを特徴とするデータ入力システム。
【請求項４】
請求項１乃至３の１において、前記コードは数字であることを特徴とするデータ入力システム。
【請求項５】
ドットパターンが印刷された紙と、ドットパターンを読み取って当該紙への書き込み内容をデジタル化する電子ペンとを利用したシステムにおいて、
当該紙に書き込んだ内容のデジタル化データがどの紙に書き込まれたものであるかを識別する場合に、
所定の識別マークを、識別対象の紙とは異なるドットパターンが印刷された紙に印刷し、
前記マーク部分に書き込んだチェック図形のデジタル化データに基づいて、前記識別対象の紙に書き込んだ内容のデジタル化データがどの紙に書き込まれたものであるかを識別することを特徴とする帳票識別システム。
【発明の詳細な説明】
【０００１】
【発明の属する技術分野】
本発明は、紙上に手書きした文字や図形等の軌跡データをデジタル化して情報処理装置に入力する電子ペンを使用したシステムに関する。
【０００２】
【従来の技術】
手書きの文字や図形等のデータをデジタル化してパソコンやワープロ等に取り込むことを可能にする電子ペンが開発・実用化されている。このような手書きの文字・図形データをデジタル化して所定の機器に送信できるペン技術として、例えばＷＯ０１／２６０３３（特許文献１）に記載の技術がある。この技術では、ある特殊な電子ペンと紙とを用いることにより、電子ペンを使って紙上に書き込んだ文字・図形の軌跡をベクトル化して保存・送信できる。
【０００３】
図２を用いてその仕組みについて簡単に説明する。紙１０２にはドットパターン２１０が印刷されている。ドットは一定間隔の格子ごとに印刷されており、その位置は格子点から微妙にずれている。電子ペン１０１では内蔵カメラ２０３によってこのドットパターン２１０を読み取ることにより、電子ペン１０１のペン先がドットパターン空間上のどの位置にあるか、その絶対座標を正確に特定することができる。
【０００４】
電子ペン１０１はカメラ２０３、インクカートリッジ２０４、筆圧センサ２０５、プロセッサ２０６、メモリ２０７、バッテリ２０８、通信装置２０９を内蔵している。筆圧センサ２０５が感圧しているときのみカメラ２０３はドットパターンを読み取り、プロセッサ２０６によってペン先の位置情報を取得する。すなわち紙１０２に書き込まれた文字や図形の軌跡をデジタル化して取得する。このデジタル軌跡情報は時系列にメモリ２０７に蓄積され、あるタイミングで通信装置２０９により所定の機器に送信される。
【０００５】
ところで、印刷されたドットパターンが紙ごとに異なっていれば、デジタル化されたデータの絶対座標から、そのデータがどの紙に対して記入されたものであるか識別可能であるが、膨大な枚数の紙すべてに対して異なるドットパターンを用いるのは、印刷コストの増加やドットパターン空間の枯渇を招く。
【０００６】
そこで、複数枚の紙に対して同一ドットパターンを用いることになるが、このとき、どの紙に対してデータが記入されたか識別不可能となる課題がある。
【０００７】
この課題に対する解決方法として、ＷＯ０１／７５７７９（特許文献２）に記載の技術がある。この技術では、紙の一部に特別な領域を確保し、その領域にボックスを印刷する。このボックスは、紙ごとに異なる位置に印刷され、電子ペンでマークされる。そして、そのマークデータの位置情報を用いて、それぞれの紙を特定している。
【０００８】
【特許文献１】
ＷＯ  ０１／２６０３３
【特許文献２】
ＷＯ  ０１／７５７７９
【０００９】
【発明が解決しようとする課題】
通常、帳票を使用したシステムでは個人別に記載される様々な帳票からデータが入力される。このような手書きデータを情報処理装置で識別処理させるためには、帳票を識別する番号を多量に確保する必要がある。上記従来の技術では、膨大な数の紙すべてに対して印刷するボックスの配置と、帳票を識別するための識別コードとの関係を電子ペンシステムの運用開始前に決定し、システムで管理しておかなければならない。
【００１０】
また、個人別帳票を識別するために膨大な紙すべてに対して異なる配置のボックスを印刷する必要があり、印刷コストもかかる。
【００１１】
また、ボックス印刷領域は限られた面積にならざるを得ずボックスの配置には限りがある。運用開始時にはボックス配置の種別を必要数確保できたとしても識別すべき紙の枚数が運用途中で超えた場合への対応が困難である。
【００１２】
また、運用中にボックス印刷領域が汚れたり、破れたり、同じボックスを何度もマークすることによって、ボックスの位置情報を読み取ることができなくなった場合の対応も困難である。
【００１３】
また、ドットパターンに対する印刷の位置ずれが大きい場合には、位置情報を用いてそれぞれの紙を識別するため、識別が困難になる。印刷の位置ずれが小さくなるように印刷するには、印刷コストがかかる。
【００１４】
【課題を解決するための手段】
上記課題を解決するために、ドットパターンを読み取って当該紙への書き込み内容をデジタル化する電子ペンを利用したシステムに、ドットパターンの第一の領域と第一の帳票レイアウトとの対応を保持する手段と、ドットパターンの第二の領域と第二の帳票レイアウトとの対応を保持する手段と、該第二の領域のドットパターンによって決まる所定位置と該位置に変換するコードとの対応を保持する手段と、前記第二の帳票への入力されたコードの組み合わせにより前記第一の帳票レイアウトを識別する手段と、前記第一の帳票へ記入されたデータを識別された帳票レイアウトとの関係で保持する手段とを備えた。
【００１５】
【発明の実施の形態】
以下、本発明の実施の形態を図面を用いて詳細に説明する。本実施形態は、企業において、１人の担当者が、複数の従業員のスケジュールを、電子ペンシステムを用いてデジタル化し、管理する、スケジュール管理システムである。
【００１６】
図１に本実施形態を実現する全体システム構成を示す。スケジュール管理システム１０８は、入力装置１０４、表示装置１０５、プリンタ１０６、通信装置１０７が接続されている計算機１０３と、電子ペン１０１、紙１０２、ネットワーク１１９から構成される。ネットワーク１１９は、公衆移動通信網や公衆固定通信網、インターネット、無線／有線のＬＡＮ等によって構成されるネットワーク網である。入力装置１０４は、計算機１０３に対して入力を行うためのキーボードやマウス等である。表示装置１０５は、計算機１０３内で処理・保存されている情報やレイアウト等の情報を表示するためのディスプレイである。プリンタ１０６は、印刷用紙としてセットされた紙に対して所定の印刷を行うプリンタ装置である。通信装置１０７は、ネットワーク１１９を介して電子ペン１０１から送信されてきたデジタル化データを受信する通信装置である。なお、電子ペン１０１の中に計算機１０３が入っていてもよい。
【００１７】
計算機１０３は、ＣＰＵ１１０、記憶装置１０９からなる。記憶装置１０９には、ＣＰＵ１１０により順次読み込まれて実行されることによりそれぞれの処理手段としての役割を果たすプログラムである３つの処理手段１１６〜１１８と４つのテーブル１１１〜１１４を保有される。
【００１８】
スケジュール管理テーブル１１４のテーブル構成を図６に示す。スケジュール管理テーブル１１４は、従業員と年月ごとに、帳票に記入されたデータを保持しておくものであり、「従業員ＩＤ」と「年月」と「座標点列データ」で構成される。「従業員ＩＤ」は、従業員ごとにあらかじめユニークに決められている番号であり、４桁の数字からなる。「年月」は、西暦４桁と月２桁の６桁の数字からなる。「座標点列データ」は、本システムで用いている電子ペンシステムによってデジタル化された、帳票に記入されたデータである。
【００１９】
レイアウト定義テーブル１１１のテーブル構成を図３に示す。レイアウト定義テーブル１１１は、紙に印刷して使用されるすべてのレイアウトと、そのレイアウトを印刷する紙が持つドットパターンとの対応を保持しておくものであり、「ドットパターン」と「レイアウト」で構成される。
【００２０】
意味定義テーブル１１２のテーブル構成を図４に示す。意味定義テーブル１１２は、ドットパターンごとに、そのドットパターンを持つ紙に印刷される各ボックスのボックス内絶対座標範囲と意味とを対応付けて保持しておくものであり、「ドットパターン」と「ボックス内の絶対座標範囲」と「意味」で構成される。「ボックス内の絶対座標範囲」は、本システムで用いている電子ペンシステムにおけるドットパターン絶対座標空間上の、各ボックス内部領域の座標範囲である。
【００２１】
利用目的定義テーブル１１３のテーブル構成を図５に示す。利用目的定義テーブル１１３は、ドットパターンごとに、そのドットパターンが、別のどのドットパターンに印刷された帳票を識別するために用いられるか、および、意味定義テーブル１１２に保持されている意味が何の利用目的で用いられるかを保持しておくものであり、「ドットパターン」と「識別対象ドットパターン」と「利用目的」で構成される。
【００２２】
レイアウト表示手段１１６は、利用可能なレイアウトを表示装置１０５に表示するものである。印刷手段１１７は、担当者が印刷したいレイアウトや枚数等の入力を入力装置１０４より受け付け、プリンタ１０６にセットされた紙に対して、プリンタ１０６を用いて印刷するものである。帳票識別手段１１８は、担当者の持つ電子ペン１０１から送信されたデジタル化データを通信装置１０７により受信し、前記デジタル化データがどの紙に記入されたものであるかを識別するものである。
【００２３】
本実施形態では、スケジュール管理システム１０８を適切に動作させることにより、同一ドットパターンを持つ複数枚の紙のそれぞれを識別することを実現している。以下、この動作について、図７を用いて説明する。
【００２４】
（１）レイアウトの表示７０１
計算機１０３のレイアウト表示手段１１６では、レイアウト定義テーブル１１１に格納されているすべての「レイアウト」表示装置１０５に表示する。
【００２５】
ここでは、レイアウトとして、図８に示すレイアウトを用いる。帳票レイアウト８０３は、各従業員に対する各年月のスケジュールを担当者が記入する帳票のレイアウトである。すべての従業員、すべての年月に対して、このレイアウトを用いる。従業員ＩＤレイアウト８０１は、前記帳票に記入するスケジュールがどの従業員のものであるか、その従業員の従業員ＩＤを指定するためのレイアウトである。年月レイアウト８０２は、前記帳票に記入するスケジュールがどの年月のものであるか、その年月を指定するためのレイアウトである。従業員ＩＤレイアウト８０１および年月レイアウト８０２には、図８に示すように、１０個のボックスがあり、各ボックスの上にそれぞれの意味である数字がある。なお、数字はボックスの中にあってもよい。要は、各ボックスが何を意味するかがわかるようになっていればよい。
【００２６】
そして、それぞれのレイアウトに対して、どのドットパターンを用いるかは、レイアウト定義テーブル１１１にあらかじめ設定されている。ここでは、帳票レイアウト８０３に対してドットパターンＡを、従業員ＩＤレイアウト８０１に対してドットパターンＢを、年月レイアウト８０２に対してドットパターンＣを用いる。
【００２７】
上記のとおり、ドットパターンＢを持つ紙は、ドットパターンＡを持つ紙に記入されたデータの従業員ＩＤを識別するために利用され、ドットパターンＣを持つ紙は、ドットパターンＡを持つ紙に記入されたデータの年月を識別するために利用されるが、その情報は、利用目的定義テーブル１１３に設定されている。
【００２８】
また、従業員ＩＤレイアウト８０１および年月レイアウト８０２における各ボックスの意味が、あらかじめ意味定義テーブル１１２に設定されている。図９に、本システムで用いている電子ペンシステムにおけるドットパターン絶対座標空間９０１を示す。ドットパターン絶対座標空間９０１において、ドットパターンＡに対応するエリア９０２、ドットパターンＢに対応するエリア９０３、ドットパターンＣに対応するエリア９０４は、図９に示すようになっている。レイアウト定義テーブル１１１に設定されている「レイアウト」と「ドットパターン」の対応から、各ボックスは、それぞれドットパターン絶対座標空間９０１上の座標範囲に変換され、その座標範囲のボックスの意味と対応付けて意味定義テーブル１１２に設定される。例えば、ドットパターンＢに対応するエリア９０３において、従業員ＩＤレイアウトの「１」を意味するボックスがドットパターン絶対座標空間９０１上の座標範囲に変換され、その座標範囲は数字の「１」を意味する、というように意味定義テーブル１１２に設定される。
【００２９】
（２）印刷の指示７０２
担当者は、前記表示されたレイアウト一覧の中から印刷したいレイアウトを選択し、そのレイアウトを印刷したい枚数とともに、入力装置１０４より入力する。また、選択したレイアウトに対応するドットパターンが表示装置１０５に表示されているので、そのドットパターンを持つ紙をプリンタ１０６にセットする。
【００３０】
ここでは、ドットパターンＡを持つ紙をプリンタ１０６にセットして、帳票レイアウト８０３を選択して、多くの枚数を印刷枚数として、入力装置１０４より入力する。なお、ドットパターンを持たない白紙をプリンタ１０６にセットすることも可能である。
【００３１】
（３）印刷７０３
計算機１０３の印刷手段１１７では、前記入力に基づいて、レイアウト定義テーブル１１１を参照して、選択されたレイアウトを、指定された枚数だけ、プリンタ１０６にセットされた紙に対して、プリンタ１０６を用いて印刷する。
【００３２】
ここでは、帳票レイアウト８０３をドットパターンＡを持つ紙に対して、多くの枚数を印刷する。印刷された紙が、図１０に示す帳票１００３である。なお、（２）の印刷の指示７０２においてドットパターンを持たない白紙をプリンタ１０６にセットする場合は、ドットパターンＡと帳票レイアウト８０３を同時印刷することも可能である。
【００３３】
この後、他のレイアウトを印刷する場合は、（２）の印刷の指示７０２、（３）の印刷７０３を繰り返す。ここでは、従業員ＩＤレイアウト８０１をドットパターンＢを持つ紙（ドットパターンＡを持つ紙とは物理的に離れた別の紙）に１枚印刷する。印刷された紙が、図１０に示す数字ボックスシート１００１である。さらに、年月レイアウト８０２をドットパターンＣを持つ紙（ドットパターンＡを持つ紙やドットパターンＢを持つ紙とは物理的に離れた別の紙）に１枚印刷する。印刷された紙が、図１０に示す数字ボックスシート１００２である。
【００３４】
（４）記入７０４
担当者は、１本の電子ペン１０１を使って、数字ボックスシート１００１に従業員ＩＤをチェックし、数字ボックスシート１００２に年月をチェックし、帳票１００３に前記チェックした従業員ＩＤの従業員、年月のスケジュールを記入する。
【００３５】
例えば、従業員ＩＤが０８４３の従業員の２００２年１２月のスケジュールを帳票に記入しようとする場合、帳票１００３にスケジュールを記入する前に、数字ボックスシート１００１の「０」を意味するボックス、「８」を意味するボックス、「４」を意味するボックス、「３」を意味するボックスに順番にチェックし、数字ボックスシート１００２の「２」を意味するボックス、「０」を意味するボックス、「０」を意味するボックス、「２」を意味するボックス、「１」を意味するボックス、「２」を意味するボックスに順番にチェックする。数字ボックスシート１００１へのチェックと数字ボックスシート１００２へのチェックの順番は問わない。その後、帳票１００３にスケジュールを記入する。記入結果を図１１に示す。数字ボックスシート１００１、数字ボックスシート１００２および帳票１００３に対して、それぞれ記入内容１１０４、１１０５および１１０６を記入したものが、それぞれ数字ボックスシート１１０１、数字ボックスシート１１０２および帳票１１０３である。
【００３６】
また、続けて、従業員ＩＤが３４２７の従業員の２００３年２月のスケジュールを帳票に記入しようとする場合、数字ボックスシート１００１の「３」を意味するボックス、「４」を意味するボックス、「２」を意味するボックス、「７」を意味するボックスに順番にチェックし、数字ボックスシート１００２の「２」を意味するボックス、「０」を意味するボックス、「０」を意味するボックス、「３」を意味するボックス、「０」を意味するボックス、「２」を意味するボックスに順番にチェックする。その後、帳票１００３にスケジュールを記入する。
【００３７】
（５）デジタル化７０５
上記（４）の記入７０４において、電子ペン１０１では、筆圧センサ２０５が感圧しているときのみ、カメラ２０３により数字ボックスシート１００１、数字ボックスシート１００２および帳票１００３に印刷されているドットパターンを読み取り、プロセッサ２０６によってペン先の位置情報をその記入した順に取得し、メモリ２０７に記録する。すなわち、図１１に示す記入内容１１０４、１１０５および１１０６は、それぞれ図１２に示すドットパターン絶対座標空間９０１上の座標点列データ１２０４、１２０５および１２０６としてデジタル化され、メモリ２０７に記録される。
【００３８】
その後、メモリ２０７に記録されたデジタル化データは、通信装置２０９からネットワーク１１９を介して通信装置１０７に送信される。
【００３９】
（６）帳票の識別７０６
計算機１０３の帳票識別手段１１８では、電子ペン１０１から送信されたデジタル化データを通信装置１０７により受信する。受信したデジタル化データは、記入された順に取得する。そして、図１２のドットパターン絶対座標空間９０１上に示すドットパターンと対応エリアとの関係に基づいて、デジタル化データの絶対座標値から、そのデータが記入された紙のドットパターンを判定する。意味定義テーブル１１２を参照して、このドットパターンが「ドットパターン」に設定されていれば、デジタル化データの絶対座標値が含まれる「ボックス内の絶対座標範囲」に対応する「意味」に、そのデジタル化データを変換する。
【００４０】
また、利用目的定義テーブル１１３を参照して、前記ドットパターンが「ドットパターン」に設定されていれば、対応する「利用目的」として、前記意味を用い、スケジュール管理テーブル１１４に記録する。その後、前記ドットパターンに対応する「識別対象ドットパターン」のデジタル化データを取得したときに、その一連（他のドットパターンのデジタル化データが現れるまで）のデジタル化データを、スケジュール管理テーブル１１４の前記利用目的に対応する「座標点列データ」として記録する。
【００４１】
すなわち、座標点列データ１２０４、１２０５の後に、座標点列データ１２０６が取得できる。そして、座標点列データ１２０４が対応するドットパターンはドットパターンＢ、座標点列データ１２０５が対応するドットパターンはドットパターンＣと判定される。意味定義テーブル１１２を参照して、座標点列データ１２０４は、順番に「０」「８」「４」「３」すなわち「０８４３」に変換され、座標点列データ１２０５は、順番に「２」「０」「０」「２」「１」「２」すなわち「２００２１２」に変換される。また、利用目的定義テーブル１１３を参照して、スケジュール管理テーブル１１４に「従業員ＩＤ」として「０８４３」が、「年月」として「２００２１２」が記録される。その後、座標点列データ１２０６が対応するドットパターンはドットパターンＡと判定され、スケジュール管理テーブル１１４の「座標点列データ」として座標点列データ１２０６が記録される。
【００４２】
以上により、受信したデジタル化データが、どの従業員のどの年月の帳票に記入されたものであるかを識別できる。
【００４３】
以上のようにして、スケジュール管理システム１０８が適切に動作して、同一ドットパターンを持つ複数枚の紙のそれぞれを識別することができる。このとき、膨大な枚数の紙すべてに対して帳票識別入力用の特別のレイアウト（ボックスの配置やバーコード等）を予め定めておき、帳票識別入力用の特別のレイアウトがどの帳票に対応するかを管理するためのテーブルをスケジュール管理システム１０８に持たす必要がない。即ち、座標点列データから変換された意味（上記の例では数字）がそのまま、スケジュール管理システム１０８において帳票を識別するキーとなるスケジュール管理テーブル１１４の「従業員ＩＤ」および「年月」として用いることができる。
【００４４】
また、膨大な枚数の紙すべてに対して帳票識別入力用の特別のレイアウト（異なるボックスの配置等）を印刷する必要がないため、印刷コストを抑えることもできる。また、識別可能枚数がボックスの数と位置による制限／バーコード数の制限等の数の制約を受けないため、想定していた識別可能枚数を、識別すべき紙の枚数がシステム運用途中で超えた場合でも、対応が容易である。例えば、従業員ＩＤが４桁から５桁になったとしても、ボックスを新たに印刷しなおす必要がない。
【００４５】
また、ボックス印刷領域が汚れたり、破れたり、同じボックスを何度もマークすることによって、ボックスの位置情報を読み取ることができなくなった場合でも、対応が容易である。例えば、数字ボックスシートを取り換えるだけでよい。数字ボックスシートを破れにくい紙にしてもよい。また、ボックス印刷領域の面積は帳票レイアウトによる圧迫がないため、ボックスの数や位置や大きさに対する制限が小さい。このため、識別可能枚数の制約を減らすことが可能となるし、印刷の位置ずれの影響も小さい。印刷の位置ずれに強いということは、高度な印刷手法が必要ないということであり、印刷コストを抑えることが可能となる。もし、数字ボックスシートの面積も印刷の位置ずれに強いほど充分ではなかったとしても、高度な印刷手法による印刷は数字ボックスシートだけでよく、帳票の膨大な枚数を印刷することに比べれば、印刷コストを抑えることができる。
【００４６】
なお、上述の実施形態では、異なるドットパターンを持つ２種類の数字ボックスシートを用いたが、用いる数字ボックスシートは１種類でもよいし、異なるドットパターンを持つ数字ボックスシートを複数種類用いてもよい。
【００４７】
また、上述の実施形態では、識別対象の帳票とは物理的に離れた別の紙に、意味を持たせたボックスを印刷したが、識別対象の帳票と同じ紙に、意味を持たせたボックスを印刷してもよい。この場合、上述の実施形態における利用目的定義テーブル１１３の「ドットパターン」と「識別対象ドットパターン」は同じドットパターンに設定され、（６）の帳票の識別７０６における一連のデジタル化データとは、他のドットパターンのデジタル化データが現れるまで、あるいは、意味定義テーブル１１２の「ボックス内の絶対座標範囲」内のデジタル化データが現れるまで、のデジタル化データを指す。
【００４８】
また、上述の実施形態では、識別対象の帳票のレイアウトが１種類であったが、異なるレイアウトの帳票を複数種類用いて、レイアウトを識別するために数字ボックスシートを用いてもよい。また、上述の実施形態では、数字ボックスシートにおいて、意味を持たせたマークとしてボックスを印刷したが、ボックスの代わりに、線や、数字そのものをマークとして印刷してもよい。また、上述の実施形態では、ボックスに持たせる意味として、数字を用いたが、文字や記号でもよい。
【００４９】
【発明の効果】
本発明によれば、紙上に印刷されたドットパターンを電子ペンで読み取ることによって紙上に手書きした文字や図形をデジタル化する電子ペンシステムにおいて、同一ドットパターンを持つ複数枚の紙のうち、どの紙に対してデータが記入されたか識別する必要がある場合に、事前設定の手間を省くことができる。
【図面の簡単な説明】
【図１】本発明を用いたスケジュール管理システム一実施例のシステム構成図。
【図２】スケジュール管理システムで使用される電子ペンの構成図。
【図３】レイアウト定義テーブルの構成を示す図。
【図４】意味定義テーブルの構成を示す図。
【図５】利用目的定義テーブルの構成を示す図。
【図６】スケジュール管理テーブルの構成を示す図。
【図７】システムの処理手順を示すフローチャート。
【図８】スケジュール管理システムで使用される帳票レイアウトを示す図。
【図９】レイアウトとドットパターン絶対座標空間との関係を示す図。
【図１０】スケジュール管理システムで使用される帳票を示す図。
【図１１】スケジュール管理システムで使用される紙への記入例を示す図。
【図１２】紙に記入した内容のデジタル化データ（座標点列データ）とドットパターン絶対座標空間との関係を示す図。
【符号の説明】
１０１…電子ペン、１０２…紙、１０３…計算機、１０４…入力装置、１０５…表示装置、１０６…プリンタ、１０７…通信装置、１０８…スケジュール管理システム、１０９…記憶装置、１１０…ＣＰＵ、１１１…レイアウト定義テーブル、１１２…意味定義テーブル、１１３…利用目的定義テーブル、１１４…スケジュール管理テーブル、１１６…レイアウト表示手段、１１７…印刷手段、１１８…帳票識別手段、１１９…ネットワーク、２０３…カメラ、２０４…インクカートリッジ、２０５…筆圧センサ、２０６…プロセッサ、２０７…メモリ、２０８…バッテリ、２０９…通信装置、２１０…ドットパターン。
【図１】
2004246433.tif 000003
【図２】
2004246433.tif 000004
【図３】
2004246433.tif 000005
【図４】
2004246433.tif 000006
【図５】
2004246433.tif 000007
【図６】
2004246433.tif 000008
【図７】
2004246433.tif 000009
【図８】
2004246433.tif 000010
【図９】
2004246433.tif 000011
【図１０】
2004246433.tif 000012
【図１１】
2004246433.tif 000013
【図１２】
2004246433.tif 000014